(57)【要約】【課題】生理学的サンプル中の被検体の濃度を電気化学的に測定する方法および装置を提供する。【解決手段】生理学的サンプル中の被検体の濃度の値を電気化学的に求める方法および装置が開示される。その方法は、その中で２つの時間−電流過渡現象が電気化学的試験細片に電気的に接続されたメーターによって測定される試験細片を用いることを含む。集積的電流値が、時間−電流過渡現象から導かれ、被検体の濃度の計算に用いられる。【選択図】図５
2007108171.tif 000002
【特許請求の範囲】
【請求項１】
生理学的サンプル中の被検体の濃度を求める方法において、
（ａ）生理学的サンプルを電気化学的セル内に導入する過程であって、
前記電気化学的セルが、
（ｉ）間隔を置いて配置された関係の第１および第２の電極、および、
（ｉｉ）酵素および媒介物質を含む試薬層、
を具備する、
過程と、
（ｂ）第１の極性を有する第１の電圧を前記電気化学的セルに加え、第１の時間−電流過渡現象を得るために時間の関数としてのセル電流を測定する過程と、
（ｃ）前記第１の極性とは逆の第２の極性を有する第２の電圧を前記電気化学的セルに加え、第２の時間−電流過渡現象を得るために時間の関数としてのセル電流を測定する過程と、
（ｄ）前記第２の時間−電流過渡現象から第１の電流値を計算する過程と、
（ｅ）前記第２の時間−電流過渡現象から第２の電流値を、前記第１の時間−電流過渡現象から第３の電流値を、計算する過程と、
（ｆ）前記第３の電流値で除算された前記第２の電流値を含む比率を計算する過程と、
（ｇ）バックグラウンド値を含まない前記第１の電流値を前記比率で乗算し、被検体の濃度を導く過程と、
を具備する、方法。
【請求項２】
請求項１に記載の方法において、
前記過程（ｂ）から前記過程（ｇ）までが、１０秒未満で行われる、方法。
【請求項３】
請求項１に記載の方法において、
前記過程（ｂ）から前記過程（ｇ）までが、６秒未満で行われる、方法。
【請求項４】
請求項１に記載の方法において、
前記比率が、冪指数ｐ個累乗される、方法。
【請求項５】
請求項１に記載の方法において、
前記被検体の濃度が、以下の式に基づいて計算され、
［Ｃ］＝（Ｉ2 ／Ｉ3 ）p ×（ａ×Ｉ1 −Ｚ）
ここで、
［Ｃ］は、前記被検体の濃度であり、
Ｉ1 は、前記第１の電流値であり、
Ｉ2 は、前記第２の電流値であり、
Ｉ3 は、前記第３の電流値であり、
Ｚ、ｐ、および、ａは、較正係数である、
方法。
【請求項６】
請求項５に記載の方法において、
ｐが、０．２から４までの範囲内にあり、
ａが、０．２から４までの範囲内にある、
方法。
【請求項７】
請求項６に記載の方法において、
ｐが１に等しく、
ａが１に等しい、
方法。
【請求項８】
請求項５に記載の方法において、
ｐおよびａを経験的に求める過程、
をさらに具備する、方法。
【請求項９】
請求項１に記載の方法において、
前記第１の電流値が被検体の濃度に比例する、方法。
【請求項１０】
請求項１に記載の方法において、
前記第１、第２、および、第３の電流値が、時間の関数としてのセル電流の積分を含む、方法。
【請求項１１】
請求項１に記載の方法において、
前記第１、第２、および、第３の電流値が、セル電流の合計を含む、方法。
【請求項１２】
請求項１に記載の方法において、
前記被検体がグルコースを含む、方法。
【請求項１３】
請求項１に記載の方法において、
前記生理学的サンプルが、全血、血漿、血清、間質液、および、尿、からなる群から選択された物質である、方法。
【請求項１４】
請求項１に記載の方法において、
前記第１および第２の電極が、金、パラジウム、プラチナ、銀、イリジウム、ドープされた酸化スズ、および、炭素、からなる群から選択された導電性材料を含む、方法。
【請求項１５】
請求項１４に記載の方法において、
前記第１の電極が、パラジウムであり、
前記第２の電極が、金である、
方法。
【請求項１６】
請求項１４に記載の方法において、
前記導電性材料が、絶縁シートの表面にスパッタリングされている、方法。
【請求項１７】
請求項１に記載の方法において、
前記導電性材料が、絶縁シートの表面にスクリーン印刷されている、方法。
【請求項１８】
請求項１に記載の方法において、
前記試薬層が、第１の電極上に配置されている、方法。
【請求項１９】
請求項１８に記載の方法において、
前記第１の極性が前記第２の電極に関して負であり、
前記第２の極性が前記第２の電極に関して正である、
方法。
【請求項２０】
請求項１８に記載の方法において、
前記第１の電圧が、前記第２の電極に対して、０．０Ｖからマイナス０．６Ｖまでの範囲内にあり、
前記第２の電圧が、前記第２の電極に対して、０．０Ｖから０．６Ｖまでの範囲内にある、
方法。
【請求項２１】
請求項１に記載の方法において、
前記第２の電圧が、前記第１の電圧が加えられた直後に加えられる、方法。
【請求項２２】
請求項１に記載の方法において、
前記電気化学的セルが、１μＬ未満の体積を有する、方法。
【請求項２３】
請求項１に記載の方法において、
前記酵素が、グルコースオキシダーゼ、メトキサチンコファクターに基づくグルコースデヒドロゲナーゼ、および、ニコチンアミドアデニンジヌクレオチドコファクターに基づくグルコースデヒドロゲナーゼ、からなる群から選択された物質である、方法。
【請求項２４】
請求項１に記載の方法において、
前記媒介物質が、フェリシアニド、フェロセン、フェロセン誘導体、オスミウム・ビピリジル複合体、および、キノン誘導体、からなる群から選択された物質である、方法。
【請求項２５】
請求項１に記載の方法において、
前記第１の電圧が、１秒から５秒までの範囲内の期間にわたって加えられる、方法。
【請求項２６】
請求項１に記載の方法において、
前記第２の電圧が、１秒から５秒までの範囲内の期間にわたって加えられる、方法。
【請求項２７】
請求項１に記載の方法において、
前記第２および第３の電流値が、異なる時間間隔の間に計算される、方法。
【請求項２８】
生理学的サンプル中の被検体の濃度を求める方法において、
（ａ）生理学的サンプルを電気化学的セル内に導入する過程であって、
前記電気化学的セルが、
（ｉ）離間して配置された関係の第１および第２の電極、および
（ｉｉ）酵素および媒介物質を含む試薬層、
を具備する、
過程と、
（ｂ）第１の極性を有する第１の電圧を前記電気化学的セルに加え、第１の時間−電流過渡現象を得るために時間の関数としてのセル電流を測定する過程と、
（ｃ）前記第１の極性とは逆の第２の極性を有する第２の電圧を前記電気化学的セルに加え、第２の時間−電流過渡現象を得るために時間の関数としてのセル電流を測定する過程と、
（ｄ）前記第１の時間−電流過渡現象から第１の集積的電流値を、前記第２の時間−電流過渡現象から第２の集積的電流値を、計算する過程と、
（ｅ）前記第１の集積的電流値で除算された前記第２の集積的電流値を含む比率を計算する過程と、
（ｆ）前記比率を含む補正係数を計算する過程と、
（ｇ）前記第１および／または第２の時間−電流過渡現象から最初の濃度の値を計算する過程と、
（ｈ）バックグラウンド値を含まない前記最初の濃度の値に前記補正係数を乗算し、前記被検体の濃度を導く過程と、
を具備する、方法。
【請求項２９】
請求項２８に記載の方法において、
前記第１および第２の集積的電流値が、時間の関数としてのセル電流の積分を含む、方法。
【請求項３０】
請求項２８に記載の方法において、
前記第１および第２の集積的電流値が、時間の関数としてのセル電流の合計を含む、方法。
【請求項３１】
請求項２８に記載の方法において、
前記被検体が、グルコースである、方法。
【請求項３２】
請求項２８に記載の方法において、
前記生理学的サンプルが、全血、血漿、血清、間質液、および、尿、からなる群から選択された物質である、方法。
【請求項３３】
生理学的サンプル中の被検体の濃度を求める方法において、
（ａ）前記生理学的サンプルを電気化学的セル内に導入する過程であって、
前記電気化学的セルが、
（ｉ）離間して配置された関係の第１および第２の電極、および、
（ｉｉ）酵素および媒介物質を含む試薬層、
を具備する、
過程と、
（ｂ）第１の極性を有する第１の電圧を前記電気化学的セルに加え、第１の時間−電荷過渡現象を得るために、時間の関数としてセル電荷を測定する過程と、
（ｃ）前記第１の極性とは逆の第２の極性を有する第２の電圧を前記電気化学的セルに加え、第２の時間−電荷過渡現象を得るために、時間の関数としてセル電荷を測定する過程と、
（ｄ）前記第２の時間−電荷過渡現象から第１の電荷値を計算する過程と、
（ｅ）前記第２の時間−電荷過渡現象から第２の電荷値を、前記第１の過渡現象から第３の電荷値を、計算する過程と、
（ｆ）前記第２の電荷値および前記第３の電荷値に基づいて、比率を計算する過程と、
（ｇ）バックグラウンド値を含まない前記第１の電荷値を前記比率で乗算し、被検体の濃度を導く過程と、
を具備する、方法。
【発明の詳細な説明】
【開示の内容】
【０００１】
〔発明の背景〕
例えば、血液または血液由来の生成物などの生理学的流体中の被検体の検出は、今日の社会でその重要性がますます増加している。被検体を検出する検定には、臨床検査室での検査、家庭での検査、などを含めたさまざまな用途が見出されていて、それらの用途では、その検査結果がさまざまな疾病状態の診断および管理で顕著な役割を果たしている。関心の持たれる被検体には、糖尿病管理のためのグルコース、ケトン、コレステロール（ＨＤＬ、ＬＤＬ、および／または、トリグリセリド、が含まれる）、ヘモグロビンＡ１Ｃ、および、それらの類似物などがある。被検体の検出のこのような増加する重要性に対応して、臨床および家庭での使用の両方のためのさまざまな被検体検出手順および装置が開発されてきた。
【０００２】
被検体を検出するために用いられるあるタイプの方法は、電気化学的方法である。そのような方法では、水性の液体サンプルが、試験細片内のサンプル反応チャンバ内に配置され、この場合には、試験細片は、２つの電極、すなわち、第１および第２の電極を含む電気化学的セルであり、２つの電極はインピーダンスを有し、インピーダンスを有することが、電極を電流測定のために適切なものにしている。分析されるべき成分は、電極と直接反応するようにされるか、媒介物質と直接または間接的に反応するようにされ、検出されるべき成分、すなわち被検体の濃度に対応する量の酸化可能な（または、還元可能な）物質を形成する。存在する酸化可能な（または、還元可能な）物質の量が、次に、電気化学的に見積もられて、最初のサンプル中に存在する被検体の量に関連付けられる。
【０００３】
被検体を定量化するのに用いられるある方法は、酸化可能（還元可能な）な物質を電気化学的に測定する前に、被検体を電気化学的セル内で実質的に枯渇させるものである。しかし、ある種の状態では、このプロセスは枯渇に達するまでに長期間を要することがある。被検体を定量化するための別の方法は、より短い待機時間に依存している。例えば、酸化電流（または、還元電流）が、完全な枯渇のために必要な時間よりも短い時間にわたって測定され、収集されたデータを外挿することによって濃度が計算される。より短い計算手順は功利的な分析（とりわけ、グルコース（血糖値）（glucose）の監視の場合）の要望に合致するが、そのような方法は、望まれる正確さに欠けることがある。したがって、電気化学的セル内の被検体の濃度を迅速かつ正確に測定する方法を開発することが望まれているはずである。
【０００４】
〔発明の概要〕
本発明は、大まかに言って、生理学的サンプル中の被検体の濃度を電気化学的に測定する方法および装置を提供する。ある態様では、本明細書に記載さているように、試験細片を用いる方法であり、その方法では、２つの時間−電流過渡現象（例えば、時間の関数としての電流）が、電気化学的試験細片に電気的に接続されたメーターによって測定される。
【０００５】
試験細片は、ある実施の形態では、電気化学的セルを含み、その電気化学的セルは、離間して配置された作用電極および対／基準電極と、レドックス（酸化還元）試薬と、を含んでいる。使用時には、生理学的サンプルが反応セル内に導入され、反応セル内では、サンプルがレドックス試薬との反応を開始する。第１の極性を有する第１の電圧が、作用電極と対／基準電極との間に加えられ、時間の関数としての電流が測定されて、第１の時間−電流過渡現象が測定される。次に、第２の時間−電流過渡現象が、セルに加えられた第２の極性を有する第２の電圧に基づいて測定される。
【０００６】
第１の実施の形態では、予備的な被検体の濃度が、曲線適合プロセスを用いて第１および第２の時間−電流過渡現象から導かれ、定常状態電流値およびパルス前電流値（pre-pulse current value）（それぞれは、ｉSSおよびｉPPとする）から導かれた補正係数（correction factor）によって補正される。これらの値の比率は、経験的に導かれた方程式中で用いられて、補正係数が計算される。
【０００７】
別の実施の形態では、第１および第２の時間−電流過渡現象から収集されたデータの少なくとも一部の積分または合計が、第１および第２の集積的電流値を提供する。これらの集積的電流値は、補正係数を見出すために用いられる。集積的電流値は、より安定的であり、複雑な計算なしに見出すことができる。
【０００８】
さらに別の実施の形態では、集積的電流値は、最初の被検体の濃度および補正係数を見出すために用いられる。その方法は、最初の被検体の濃度として集積的電流値を、補正係数の代わりに集積的電流値の比率を、用いる過程を含む。したがって、最初の被検体の濃度および補正係数は、時間集約的な計算を必要とせずに、時間−電流過渡現象のデータから直接、迅速に計算される。さらに、その結果の被検体の濃度は非常に正確である。
【０００９】
例えば、その方法は、生理学的サンプルを電気化学的セル内に導入する過程を含み、その電気化学的セルは、離間して配置された関係の第１および第２の電極と、酵素および媒介物質を含んだ試薬層と、を含んでいる。サンプルが所定の位置に配置された状態で、第１の極性を有する第１の電圧が反応セルに加えられる。セル電流が時間の関数として測定され、第１の時間−電流過渡現象が得られる。次に、第２の極性を有する第２の電圧がセルに加えられ、セル電流が時間の関数として測定されて、第２の時間−電流過渡現象が得られる。第１の集積的電流値が第２の時間−電流過渡現象から計算され、その第１の集積的電流値は被検体の濃度に比例する（この第１の集積的電流値は最初の被検体の濃度を提供する）。第２の集積的電流値が第２の時間−電流過渡現象から導かれ、第３の集積的電流値が第１の時間−電流過渡現象から導かれる。これらの集積的電流値は、補正係数を計算するために用いられる。次に、被検体の濃度が、第１の集積的電流値を補正係数で乗算することによって、導かれる。
【００１０】
ある態様では、集積的電流値は、時間の関数としての電流の積分である。それに代わって、集積的電流値は、時間の関数としてのセル電流の合計である。さらに別の態様では、集積的電流値は、時間−電流過渡現象の平均のまたは単一の電流値をその時間−電流過渡現象の時間間隔で乗算した積である。第１、第２、および、第３の集積的電流値は、それらの電流値の対応する時間−電流過渡現象のどの部分の間に計算されてもよい。それに代わって、集積的電流値は、ある時間にわたるセルの電荷から見出されてもよい。例えば、集積的電荷値が、集積的電流値と同様に求められ用いられてよい。
【００１１】
さらに別の実施の形態では、被検体の濃度は、以下の式、
［Ｃ］＝（Ｉ2 ／Ｉ3 ）P ×（ａ×Ｉ1 −Ｚ）
に基づいて計算されてよく、ここで、
［Ｃ］は、被検体の濃度であり、
Ｉ1 は、第１の集積的電流値であり、
Ｉ2 は、第２の集積的電流値であり、
Ｉ3 は、第３の集積的電流値であり、
Ｚは、バックグラウンド電流の効果を除去することができるバックグラウンド値である。
その中で方法が実行される電気化学的セルのばらつきを勘定に入れるため、上記の式は、経験的な変数を含んでいる。例えば、比率（Ｉ2 ／Ｉ3 ）は、冪指数Ｐ個累乗され、Ｉ1 は定数ａが乗算されている。これらの変数の値は、それぞれの電気化学的セルに対して、または、電気化学的セルの集合に対して、決定されてよい。
【００１２】
ある実施の形態では、第１の電圧は、第２の電圧とは逆の極性を有している。例えば、第１の極性は、負であり、第２の極性は、正である。第１の電圧は、約０．０Ｖから−０．６Ｖまでの範囲内にあり、第２の電圧は、約０．０Ｖから０．６Ｖまでの範囲内にある。ある態様では、第１および第２の電圧は、それぞれ、約１秒から５秒までの範囲内の時間にわたって加えられる。
【００１３】
本明細書に開示された方法で測定される被検体は、ある実施の形態では、グルコースである。例えば、全血、血漿、血清、間質液、または、尿、の生理学的サンプル中のグルコースの濃度が、測定される。グルコースの分析で用いられる媒介物質は、例えば、フェリシアニド、フェロセン、フェロセン誘導体、オスミウム・ビピリジル複合体（osmium bipyridyl complexes）、および／または、キノン誘導体、などである。
【００１４】
〔発明を実施するための最良の形態〕
本発明の斬新な特徴が、添付の特許請求の範囲に詳細に記載されている。本発明の特徴および利点は、本発明の原理が用いられた例示的な実施の形態を記載した以下の詳細な説明および添付の図面を参照することによって、より良好に理解されるはずである。
【００１５】
本発明の方法および装置は、広範囲のさまざまなサンプル中の広範囲のさまざまな被検体を測定するために使用するのに適していて、とりわけ、特に関心の持たれている被検体がグルコースである、全血中の、または全血由来の生成物中の被検体を測定するために用いるのに適している。本発明は、生理学的サンプル中の被検体の濃度の値を迅速にかつ正確な結果で測定するための方法を提供する。本明細書には、被検体の濃度の値を測定するために用いられる例示的な試験細片の実施形態の構造が記載されている。さらに、本明細書には、時間−電流過渡現象が試験細片に電気的に接続されているメーターによって測定され収集される試験細片の使用方法が記載されている。さらに、本明細書には、時間−電流過渡現象を迅速に処理するために用いられ正確な被検体の濃度の値を出力するアルゴリズムが記載されている。
【００１６】
本発明の方法は、原則として、例えば、電気化学的試験細片のような、離間して配置された第１および第２の電極と、試薬層と、を有する、任意の種類の電気化学的セル、と共に用いられてよい。ある態様では、電気化学的試験細片は、薄いスペーサー層によって隔てられた２つの向かい合う電極を含み、それらのコンポーネントは、その中に試薬層が配置されたサンプル反応チャンバまたはゾーンを画定している。
【００１７】
図１から図４は、それぞれ、本明細書に記載された方法と共に用いるのに適した例示的な試験細片６２の、分解斜視図、底面図、上面図、および、部分断面側面図、である。試験細片６２は、第１の電極層６６と、スペーサー６０と、第２の電極層６４と、遠位の部分８０と、近位の部分８２と、を含んでいる。完全に組み立てられると、試験細片６２は、サンプルを受容するためのサンプル反応チャンバ６１を有する。ある態様では、サンプル反応チャンバ６１は、スペーサー６０の切り欠き部分６８と、第２の電極層６４と、第１の電極層６６と、によって形成されている。生理学的流体はポート７０を通して導入されてよく、ある実施の形態では、２つのポート７０がある。ある態様では、一方のポート７０がサンプルの注入口を提供し、もう一方のポート７０が換気口として役立つ。
【００１８】
例示された実施の形態では、第１の電極層６６および第２の電極層６４は、互いに面する、すなわち対向する配置で離間している。しかし、当業者には、電極が、同一平面上の構成、または、非同一平面の構成、などを含むさまざまな方式で配置されていてよいことが、理解されるはずである。
【００１９】
第１の電極層６６および第２の電極層６４の一部は、それぞれ、第１の電極１６６および第２の電極１６４を提供する。例えば、第１の電極層６６および第２の電極層６４の反応チャンバ６１に露出された部分が、第１の電極１６６および第２の電極１６４を提供してよい。さらに、第１の電極層６６は、図１に示されているように、第１の電気的接触部６７と、Ｕ形のノッチ６５と、を含んでいてよい。第１の電気的接触部６７は、第１の接続トラック７６を介して第１の電極１６６に電気的に接続されていて、メーターとの電気的な接続を確立するために用いられる。第２の電極層６４は、第２の電気的接触部６３を含み、第２の電気的接触部６３は、図１から図３に示されているように、第２の接触トラック７８を介して第２の電極１６４と電気的に接続されている。第２の電気的接触部６３は、図１に示されているように、Ｕ形のノッチ６５を通してメーターによってアクセスされる。当業者は、試験細片６２が、メーターと電気的に接続するためのさまざまな代わりの電気的接触構造を含んでいてよいことを、理解するはずである。例えば、米国特許第６，３７９，５１３号は、電気化学的セルの接続手段を開示していて、この米国特許は参照することによって本明細書にその全体が組み込まれる。
【００２０】
ある実施の形態では、第１および／または第２の電極層は、金、パラジウム、炭素、銀、プラチナ、酸化スズ、イリジウム、インジウム、および、それらの組み合わせ（例えば、インジウムがドープされた酸化スズ）、などの材料で形成された導電性材料であってよい。さらに、電極は、絶縁シート（図示されていない）の表面に導電性材料を、スパッタリング、無電解めっき（electroless plating）、または、スクリーン印刷プロセス、によって、配置することによって、形成されてよい。ある例示的な実施の形態では、第２の電極６４は、スパッタリングされた金電極であり、第１の電極６６はスパッタリングされたパラジウム電極であってよい。絶縁シートとして用いることができる適切な材料には、例えば、プラスチック（例えば、ＰＥＴ、ＰＥＴＧ、ポリイミド、ポリカーボネート、ポリスチレン）、シリコン、セラミック、ガラス、および、それらの組み合わせ、などを含む。
【００２１】
試薬層７２は、スロットコーティング、チューブの端部から液体を供給することによるコーティング、インクジェット法、スクリーン印刷、のようなプロセスを用いて、反応チャンバ６１内に配置されてよい。そのようなプロセスは、例えば、米国特許第６，７４９，８８７号、同第６，６８９，４１１号、同第６，６７６，９９５号、および、同第６，８３０，９３４号に記載されていて、これらの米国特許は参照することによって本明細書にその全体が組み込まれる。ある実施の形態では、試薬層７２は、第１の電極１６６上に配置されていて、少なくとも媒介物質および酵素を含んでいる。媒介物質は、２つのレドックス状態のいずれかにあり、それらの状態にある媒介物質は、酸化可能物質および還元可能物質とも呼ばれる。適切な媒介物質の例には、フェリシアニド、フェロセン、フェロセン誘導体、オスミウム・ビピリジル複合体、キノン誘導体、などがある。適切な酵素の例には、グルコースオキシダーゼ、ピロロキノリンキノンコファクター（pyrroloquinoline quinone co-factor）に基づくグルコースデヒドロゲナーゼ（ＧＤＨ）、ニコチンアミドアデニンジヌクレオチドコファクター（nicotinamide adenine dinucleotide co-factor）に基づくＧＤＨ、などがある。試薬層７２を形成するのに適している、ある例示的な試薬の配合が、米国特許出願公開第２００４／０１２０８４８号として公開された、係属中の米国特許出願第１０／２４２，９５１号、名称「滅菌され較正されたバイオセンサーに基づく医療装置の製造方法（Method for Manufacturing a Sterilized and Calibrated Biosensor-Based Medical Device）」に記載されていて、この米国特許出願は、参照することによって本明細書にその全体が組み込まれる。
【００２２】
ある実施の形態では、サンプル反応チャンバ６１は、図１から図４に示されているように、第１の電極１６６、第２の電極１６４、および、スペーサー６０、によって画定されている。より詳しく言うと、第１の電極１６６および第２の電極１６４は、サンプル反応チャンバ６１の上部および底部を画定し、スペーサー層は、サンプル反応チャンバ６１の側壁を画定する。例えば、スペーサー６０は、試験細片６２のためのサンプル反応チャンバ６１を画定する切り欠き領域６８を含んでいてよい。
【００２３】
スペーサー６０の高さは、第１の電極１６６と第２の電極１６４との間隔を画定してよい。ある態様では、スペーサー６０の高さは、約１μｍから５００μｍまでの範囲内にあり、好ましくは、約１０μｍから４００μｍまでの範囲内にあり、より好ましくは、約４０μｍから２００μｍまでの範囲内にある。
【００２４】
ある実施の形態では、試験細片６２は、短い間隔によってのみ離間されるように配置された第１の電極１６６および第２の電極１６４を含んでいる。そのようなシナリオでは、レドックスサイクル（redox cycling）が起きる可能性があり、そのレドックスサイクルでは、第１の電極１６６で生成された酸化された媒介物質が、第２の電極１６４に向かって拡散し、第２の電極１６４で還元され、続いて、第１の電極１６６に向かって拡散して戻り、再び酸化される。
【００２５】
第１の電極１６６または第２の電極１６４のいずれかが、適用されたメーターの極性に応じて、制限量の媒介物質を酸化または還元する作用電極の機能を実行してよい。例えば、電流制限種が還元された媒介物質の場合、その媒介物質は、第２の電極１６４に関して十分に正の電圧が加えられている限り、第１の電極１６６で酸化される。そのように状態では、第１の電極１６６は、作用電極の機能を果たし、第２の電極１６４は、対電極／基準電極の機能を果たす。
【００２６】
同様に、十分に負の電圧が第２の電極１６４に関して加えられていると、還元された媒介物質は第２の電極１６４で酸化される。そのような状態では、第２の電極１６４は、作用電極の機能を果たし、第１の電極１６６は、対電極／基準電極の機能を果たす。
【００２７】
本発明の方法の第１の過程は、ある量の関心の持たれている生理学的サンプルを、離間して配置された第１および第２の電極と試薬層とを含む電気化学的セル内に、導入する段階を含んでいてよい。その生理学的サンプルは、さまざまなものであってよいが、多くの実施の形態では、概して、全血、または、全血由来の生成物または全血の分画、であり、全血がとりわけ関心を持たれている。生理学的サンプルが、例えば、血液が、ポート７０を通してサンプル反応チャンバ６１内に添加される。ある態様では、ポート７０および／または反応チャンバ６１は、毛管作用によって生理学的サンプルがサンプル反応チャンバを満たすような寸法を有している。
【００２８】
図５は、第１の電気的接触部６７および第２の電気的接触部６３と接するメーター１００を示した簡単化された模式図であり、第１の電気的接触部６７および第２の電気的接触部６３は、それぞれ、試験細片６２の第１の電極１６６および第２の電極１６４と電気的に連通している。メーター１００は、第１の電気的接触部６３および第２の電気的接触部６７（図２および図５に示されているように）を介して、第１の電極１６４および第２の電極１６６と電気的に接続されるように構成されている。ある態様では、メーター１００は、Ｕ形のノッチ６５を通して電気的接触部６３と接続されている。
【００２９】
図５に示されているように、電気的接触部６７は、２つの先端部６７ａ，６７ｂを含んでいてよい。ある例示的な実施の形態では、メーター１００は、メーター１００が試験細片６２と接触しているときに回路が完成するように、先端部分６７ａ，６７ｂと個別に接続される。メーター１００は、試験細片が所定の位置に配置されていることの合図として、電極層６６を通る閉回路を用いてよい。当業者は、メーター１００が、試験細片６２がメーター１００に関して適正に配置されたことを判定するためのさまざまなセンサーおよび回路を用いてよいことを、理解するはずである。
【００３０】
ある実施の形態では、第１の電気的接触部６７および第２の電気的接触部６３は、電圧源Ｅに接続される。検査を実施するとき、電圧源Ｅが、最初の時間間隔の間に、第１の電極１６６および第２の電極１６４の間に第１の電圧を加える。第１の電圧は、生理学的サンプルがサンプル反応チャンバ内に存在することが検出された直後から加えられてよい。ある態様では、生理学的サンプルは、自動化された方法によって検出されてよく、その方法では、メーターが、サンプルがサンプル反応チャンバ内に添加されたことを示す電圧（米国特許第６，１９３，８７３号に記載されている。）、電流、または、キャパシタンス、の変化を監視する。それに代わって、生理学的流体が、手動式の方法で検出されてもよく、その方法では、使用者はサンプル反応チャンバが満たされたことを視覚的に観察し、ボタンを押して検査を開始する。
【００３１】
サンプルがセル内に導入された後、第１の極性を有する第１の電圧が、サンプル反応チャンバ６１に加えられてよく、その結果の電流が時間の関数として測定される。データ（時間の関数としての電流）の少なくとも一部が第１の時間−電流過渡現象を提供する。第１の電圧は、第２の電極１６４が作用電極として働き、その作用電極では制限酸化電流が測定されるように、第２の電極１６４に関して十分に負であってよい。第１の時間間隔が経過した後、電圧源Ｅは、第２の時間間隔にわたって、第１の電極１６６および第２の電極１６４の間に、第２の電圧を加える。第２の電圧は、第２の時間−電流過渡現象を生み出すために時間の関数として測定される電流を生じさせる。ある実施の形態では、第２の電圧は、第１の極性とは逆の第２の極性を有する。例えば、第２の電圧は、第１の電極１６６が作用電極として働き、その作用電極では制限酸化電流が測定されるように、第２の電極１６４に関して十分に正であってよい。ある態様では、第１の電圧および第２の電圧は、約−０．６Ｖから＋０．６Ｖまでの範囲内であってよい。時間−電流過渡現象の時間間隔は、ある実施の形態では、約０．５秒から１０秒までの範囲内であってよく、好ましくは、約１秒から５秒までの範囲内であってよい。別の実施の形態では、第１の時間間隔と第２の時間間隔の合計は、約５秒未満である。また、第１の時間間隔は第２の時間間隔と等しい必要はないことも、留意されなければならない。
【００３２】
ある実施の形態では、第２の電圧は、第１の電圧が加えられた後に直ちに加えられる。別の実施の形態では、第１の電圧と第２の電圧との間に遅れ（delay）、すなわち、開回路電圧が導入される。さらに別の実施の形態では、生理学的サンプルがサンプル反応チャンバ内で検出された後で、第１の電圧が加えられる前に、遅れが導入される。その遅れは、約０．０１秒から３秒までの範囲内にあり、好ましくは、０．０５秒から１秒までの範囲内にあり、より好ましくは、０．１秒から０．５秒までの範囲内にある。
【００３３】
図６は、３秒間の−０．３Ｖの第１の電圧とその直後の２秒間の＋０．３Ｖの第２の電圧を有する時間−電圧波形の一例を示している。図７は、第１の時間−電流過渡現象７３とその直後の第２の時間−電流過渡現象７４として測定された、その結果の測定された電流を示している。
【００３４】
第１の実施の形態では、被検体の濃度は、測定された時間−電流過渡現象のデータ（図７）から求められる。方法は、上述したようにして得られた、第１および第２の時間−電流過渡現象を用いて、サンプル中の関心が持たれている被検体に対する、（ａ）変数γ、および、（ｂ）予備的な被検体の濃度Ｃ0 を求めることを含む。γは、
2007108171.tif 000003
によって定義されることが留意されなければならない。
【００３５】
項ｉppは、第１の時間−電流過渡現象の終わり付近の短い時間間隔にわたる平均電流である。例えば、第１の時間間隔が３秒間の長さである場合、平均電流は、３秒間の長さの時間間隔のうちの１．９秒から２．９秒までの時間間隔の平均電流である。
【００３６】
項ｉssは、第２の時間−電流過渡現象に対する定常状態電流の値である。スペーサー６０の高さは、ほぼ拡散層の高さ以下であるので、電流は定常状態に向かう傾向がある。項ｉssは、最小時間より長い時間での電流に対して、式２を用いて見積もられてよく、ここで、適切な最小時間は式１から見積もられる。
【００３７】
【数１】
2007108171.tif 000004
【００３８】
【数２】
2007108171.tif 000005
【００３９】
ここで、ｉssは、第２の電圧が加えられた後の定常状態電流であり、
ｉは、時間の関数である測定された電流であり、
Ｄは、レドックス活性の分子の拡散係数であり、拡散係数は、フィックの第１法則、すなわち、Ｊ（ｘ，ｔ）＝−ＤｄＣ（ｘ，ｔ）／ｄｘ、によって求められてよく、
Ｌは、スペーサーの厚みであり、
ｔは、第２の電圧が加えられてからの時間であり、ｔ＝０で第２の電圧のパルスが開始される。
【００４０】
サンプル中の関心が持たれている被検体に対する予備的な被検体の濃度Ｃ0 は、次の式３を用いて計算される。
【００４１】
【数３】
2007108171.tif 000006
【００４２】
ここで、Ｆは、ファラデー定数、すなわち、９．６４８５×１０4 Ｃ／モル、であり、
Ａは、第１の電極の面積である。
【００４３】
式４は、測定された電流を被検体の濃度［Ｃ］に変換するために用いられる式を示していて、ＣＦは、補正係数であり、Ｚは、バックグラウンド電流を勘定に入れた定数である。
【００４４】
【数４】
2007108171.tif 000007
【００４５】
項ＣＦは、経験的な式であってよく、γおよびＣ0 に基づいていて、被検体の濃度［Ｃ］をより正確にするものである。ＣＦの数学的な表現の一例が、式５に示されていて、ここで、ｂ、ｃ、およびｄは定数である。
【００４６】
【数５】
2007108171.tif 000008
【００４７】
したがって、式１から式５は、被検体の濃度を計算するために用いられてよい。しかし、Ｃ0 およびｉssの計算は、数学的に集約的であり、比較的高速のマイクロプロセッサを必要とする。
【００４８】
第２の実施の形態は、数学的により単純で、正確な被検体の濃度を提供することができる、被検体の濃度を測定するためのアルゴリズムを提供する。
【００４９】
ある態様では、集積的電流値が、補正係数を決定するのに用いられる。これらの集積的電流値は、被検体の濃度をより迅速にそしてより正確に決定できるようにする。さらに、その積分された集積的電流値は、ある一点の時間で測定された電流の値に比べて一般的により頑健（more robust）である。
【００５０】
ある例示的な実施の形態では、集積的電流値を用いる方法は、第１の極性を有する第１の電圧を加え、第１の時間−電流過渡現象を得るために時間の関数としてのセル電流を測定する過程と、第２の極性を有する第２の電圧を加え、第２の時間−電流過渡現象を得るために時間の関数としてのセル電流を測定する過程と、を含む。ある態様では、第２の極性は、第１の極性と逆である。第１の時間−電流過渡現象に基づいて、第１の集積的電流値が計算され、第２の時間−電流過渡現象に基づいて、第２の集積的電流値が計算される。第２の集積的電流値を第１の集積的電流値で除算することによって、補正係数の計算に用いられる比率が提供される。補正係数および最初の被検体の濃度の値は、被検体の濃度を計算するために必要な情報を提供する。
【００５１】
別の実施の形態では、ＣＦおよびＣ0 の両方の計算が回避される。出願人は、最初の検体の濃度が、第２のパルスの測定値を短い時間間隔内で積分することによって計算されることを見出した。Ｃ0 を計算する代わりに、集積的電流値が代用されてよい。
【００５２】
例えば、ＣＦおよびＣ0 を計算するために、最初に、第１の集積的電流値Ｉ1 および第２の集積的電流値Ｉ2 が第２の時間−電流過渡現象から計算され、第３の集積的電流値Ｉ3 が第１の時間−電流過渡現象から計算される。次に、第３の集積的電流値Ｉ3 で除算された第２の集積的電流値Ｉ2 を含む比率が計算される。この比率は、補正係数を提供し、一方、第１の集積的電流値Ｉ1 が、最初の被検体の濃度の代わりに用いられる値を提供する。当業者は、名称「第１（first）」、「第２（second）」、および、「第３（third）」、は、便宜上選択されたものであり、必ずしも集積的電流値が計算される順序を反映したものではないことを、理解するはずである。
【００５３】
結果の正確さを改善し、試験細片のばらつきの影響を減らすために、複数の経験的な変数が用いられてよい。ある態様では、Ｉ1 が定数ａによって乗算され、変数Ｚが、ａおよびＩ1 の乗算の積から減算されて、バックグラウンド電流が計上される。別の態様では、比率Ｉ2 ／Ｉ3 が、冪指数Ｐ個累乗される。
【００５４】
式６は、計算過程を示している。
【００５５】
【数６】
2007108171.tif 000009
【００５６】
第１、第２、および、第３の電流値を式６に代入することによって、正確な被検体の濃度が短い時間間隔の間に求められる。定常状態の電流および最初の被検体の濃度の、時間を費やすコンピュータ集約的な計算が回避され、より簡便な分析および低減された検定試験時間が結果としてもたらされる。特に、Ｉ1 が電流値の合計または積分に基づいて求められるので、Ｉ1 の計算が、反復アルゴリズムを必要とするＣ0 の計算と比較して、有意に少ない計算能力を必要とする。
【００５７】
ある実施の形態では、積分された電流値を用いることが、被検体の濃度の迅速な計算を提供する。例えば、第１および第２の電圧を加え被検体の濃度を計算する方法は、約１０秒未満内で実行できる。別の実施の形態では、被検体の濃度は、約６秒未満内で計算でき、さらに別の実施の形態では、被検体の濃度は、約５秒未満内で計算される。
【００５８】
第１の集積的電流値Ｉ1 および第２の集積的電流値Ｉ2 は、ある態様では、第２の時間−電流過渡現象の時間間隔にわたる電流値の積分、第２の時間−電流過渡現象の時間間隔にわたる電流値の合計、または、第２の時間−電流過渡現象の時間間隔の平均のまたは単一の電流値を第２の時間−電流過渡現象の時間間隔で乗算したもの、である。同様に、第３の電流値Ｉ3 は、第１の時間−電流過渡現象の時間間隔にわたる電流値の積分、第１の時間−電流過渡現象の時間間隔にわたる電流値の合計、または、第１の時間−電流過渡現象の時間間隔の平均のまたは単一の電流値を第１の時間−電流過渡現象の時間間隔で乗算したもの、である。電流値の合計では、ある範囲の連続的な電流の測定値が、２つのみの電流値から全ての電流値までの範囲内で、一体に合計されてよい。
【００５９】
別の実施の形態では、第１の電流値、第２の電流値、および、第３の電流値が、電荷の値で置き換えられる。電流を測定する代わりに、通過した電荷が測定される。通過した全電荷が、積分された時間−電流データと同じ情報を提供する。例えば、通過した電荷は、予め決められた時間間隔にわたって測定され、第１、第２、および／または、第３の電流値の代わりに用いられる。
【００６０】
ある態様では、試薬層７２が、第１の電極１６６の表面上に配置され、したがって、試薬層７２が生理学的サンプルで溶解された後に第１の電極１６６の近くにほぼ留まる。その結果、少なくとも最初は、酸化可能物質の主要な部分が第１の電極１６６の近くに配置されている。ある期間の時間が経過した後に、グルコースの反応によって試薬層７２内で生み出された還元された媒介物質は、第１の電極１６６から離れて第２の電極１６４へ向けて受動的に拡散する。第１の電圧が加えられている間、第２の電極１６４は、還元された媒介物質が第１の電極１６６から拡散して離れるのにしたがって、還元された媒介物質を酸化する。このプロセスの間、第１の電極１６６と第２の電極１６４との間の媒介物質の濃度の大きさは、勾配を形成し、その勾配では、還元された媒介物質の濃度は、第１の電極１６６でより高く、第２の（作用）電極１６４でより低い。第１の電極１６６での還元された媒介物質の高い濃度は、勾配の大きさをより急峻にすることになる。この酸化電流の大きさは、この勾配の大きさに比例する。したがって、試薬層７２によって生み出されたある量の還元された媒介物質が、還元された媒介物質を第２の電極１６４へ拡散させる。したがって、電極で測定される電流の変化率が、試薬層７２での還元された媒介物質の濃度の変化率、および、グルコースの反応動力学（glucose reaction kinetics）の変化率（すなわち、還元された媒介物質を生み出すグルコースの反応速度）を示している。
【００６１】
グルコースの反応動力学は、いくつかの要因に左右され、それらの要因には、スペーサー６０の高さ（スペーサー６０の高さは、グルコースが試薬層７２に到達するために拡散しなければならない最大の距離に関連するため）、生理学的サンプルの粘度、ヘマトクリット濃度、および、温度、などを含む。
【００６２】
生理学的サンプルでの粘度の増加は、ヘマトクリット、たんぱく質、脂質の含有率、または、それらの組み合わせ、の増加で起こりうる。ヘマトクリットは、血液サンプル中の赤血球の割合を意味する。典型的には、赤血球の割合が高いほど、血液の粘度が高くなり、結果として、全グルコースのうち赤血球中に存在するグルコースの割合が高くなる。赤血球中のグルコースが試薬層７２と反応するためには、グルコースは赤血球の膜を通って移動しなければならない。ある種の条件下では、この移動は、グルコースの反応動力学を制限するほどに比較的遅い。したがって、ヘマトクリットが高いほど、グルコースの反応動力学が遅くなる。粘度は、一般的に、サンプル反応チャンバ６１内での全体的な拡散プロセスを減速する。温度が高いほど、より高い温度が関係する移動プロセスを加速するので、サンプル反応チャンバ６１内でのグルコースの試薬層７２との反応が一般的に加速される。
【００６３】
本明細書に開示されている方法では、グルコースの反応動力学は、時間−電流過渡現象を用いることによって説明される。結果は、ヘマトクリットおよび温度により左右されなくなり、グルコースの濃度の決定の正確さおよび精度が改善される。
【００６４】
第２の時間−電流過渡現象の大きさは、一般的に、第１の時間−電流過渡現象の大きさの絶対値よりも大きくなる。したがって、比率Ｉ2 ／Ｉ3 は、グルコースの反応がサンプル反応チャンバ６１内で進行中の間は、一般的に１よりも大きく、グルコースの反応が完了すると、１になる。したがって、比率Ｉ2 ／Ｉ3 の１からの逸脱が、反応の完了までの程度を示す因子になる。比較的大きい値の比率Ｉ2 ／Ｉ3 はグルコースの反応が完了に到るまでにまだ遠いことを示し、一方、１に近い値の比率Ｉ2 ／Ｉ3 は、グルコースの反応が完了に近いことを示している。したがって、比率Ｉ2 ／Ｉ3 は、グルコースの反応の進行に関する情報を大まかに提供し、ヘマトクリット、粘度、および、温度、のグルコース濃度の測定値への影響を除去するために用いることができる。
【００６５】
計算をさらに精密にするために、ひとつまたは複数の較正係数が用いられてよい。例えば、式６に示されているように、比率Ｉ2 ／Ｉ3 は、冪指数Ｐ個累乗され、ここでＰは特定のロットの試験細片に対して用いられる較正係数である。冪指数Ｐは、正確さを高め試験時間を短縮できるようにするために、経験的な手段によって、見出された。本発明のある実施の形態では、Ｐは、約０．２から約４までの範囲内にあり、好ましくは、約０．４から約１までの範囲内にある。
【００６６】
式６に示されているように、較正係数ａは、切り欠き領域６８、および、スペーサー６０の高さ、の起こりうるばらつきを勘定に入れるために、用いられてよい。切り欠き領域６８のばらつきは、測定された電流の大きさの規則正しいシフトを引き起こすことがある。ある種の環境の下で、製造プロセスは、電極の面積を試験細片のロット毎に変えてしまうことがある。同様に、スペーサー６０の高さはロット毎に変わることがある。スペーサー６０の高さのばらつきは、測定された電流値に比例した影響を与える。試験細片の各ロットに対して較正係数ａを計算することは、電極面積およびスペーサー６０の高さのばらつきを補償することを援助する。項ａは、試験細片のロットの較正プロセスの間に決算されてよい。
【００６７】
ある実施の形態では、式６に示されているように、較正係数Ｚが、バックグラウンドの変動を勘定に入れるために用いられる。グルコース以外の源から生み出された電流が、バックグラウンド信号に寄与する。例えば、試薬層７２が、生理学的サンプルが試験細片に添加される前に、不純物として少量の酸化可能な物質を含んでいると、グルコースの濃度に起因しない測定された電流（バックグラウンド電流）の増加が起こるであろう。この電流の増加は、特定のロットの試験細片に対して、測定された電流の全体で一定のバイアスを引き起こすので、このバイアスが、較正係数Ｚを用いて補正される。項ｐおよび項ａと同様に、Ｚも較正プロセスの間に計算されてよい。
【００６８】
本明細書に開示された方法が、較正係数ｐ、ａ、および、Ｚ、を用いて記載されているが、当業者は、それらの因子を用いることが必ずしも必要でないことを理解するはずである。例えば、ある実施の形態では、グルコースの濃度は、ｐ、ａ、および／または、Ｚ、を用いずに計算されてよい（ｐおよび／またはａは、１と等しく設定され、Ｚは、０と等しく設定される）。
【００６９】
Ｉ1 、Ｉ2 、Ｉ3 、が計算される時間間隔の選択は、特定の種類の試験細片に対して、トレーニングアルゴリズムによって決定される。トレーニングアルゴリズムの間、いくつかの試験細片が、使用者が試験中に遭遇するかもしれないある範囲の条件の下で試験される。それらの条件には、２０ｍｇ／ｄｌから６００ｍｇ／ｄｌまでの範囲内のグルコース濃度、０％から７０％までの範囲内のヘマトクリット、５℃から４５℃までの範囲内の温度、５％相対湿度（％ＲＨ）から９５％ＲＨまでの範囲内の湿度、内因性または外因性の干渉、などがある。内因性および外因性の干渉の例、および、それらの生理学的濃度範囲が、米国臨床検査標準化委員会（National Committee for Clinical Laboratory Standards）「臨床化学での干渉検査、提案されたガイドラインＥＰ７−Ｐ（Interference testing in clinical chemistry; proposed guideline EＰ7-Ｐ）」、ウェイン、パ（Wayne, Ｐa）：ＮＣＣＬＳ，１９８６、という刊行物に見出され、この刊行物は参照によって本明細書に組み込まれる。誤差の標準最小化技術（standard minimization of error techniques）を用いることによって、式６を用いて計算されたグルコース濃度が、正確（例えば、基準測定値の１０％以内）に、かつ、精密に（例えば、試験細片間のばらつきが１σで約２％）なるように、Ｉ1 、Ｉ2 、および、Ｉ3 の時間間隔が最適に選択される。当業者には、第１および第２の集積的電流値に対する選択された時間間隔が、等しくても異なっていてもよく、ある実施の形態では、２つの集積的電流値のみが計算されることが、理解されるであろう。その場合、第１の集積的電流値がＩ1 およびＩ2 として用いられる。
【００７０】
Ｉ1 、Ｉ2 、Ｉ3 のための時間間隔が選択された後に、試験細片のロットが較正される。試験細片のロットの例示的な較正方法が、米国特許第６，７８０，６４５号に記載されていて、この米国特許は参照することによって本明細書にその全体が組み込まれる。より詳しく言うと、較正係数ａ、ｐ、および／または、Ｚ、が、試験細片の特定のロットのために計算される。典型的には、複数のドナーからの血液中のある範囲内のグルコース濃度が、そのグルコース試験細片、および、正確で精度の高いことが知られている基準器具、を用いて試験される。本発明の試験細片からの結果と、基準方法からの結果との間の誤差が、最適な組み合わせのａ、ｐ、および／または、Ｚ、を見出すことで、最小にされる。ある実施の形態では、較正情報が、試験細片のロットからの試験細片を使用する前に、グルコースメーターへ伝達される。
【００７１】
別の実施の形態では、値ａ、ｐ、および、Ｚ、を調節する因子が、製造中に試験細片のロット間で同じになるように十分厳密に制御される。この実施の形態を成功裡に用いることができる基準は、試験細片の複数のロットが、同じ値のａ、ｐ、および、Ｚ、に対して、特定の限界内の応答の正確さを与えることである。この実施の形態は、予め決められた値のａ、ｐ、および、Ｚ、を製造中にメーター内に記憶しておけるので、システムが較正情報をメーターに伝達する必要をなくすことができる。この実施の形態が利用性を有するために厳密に制御されなければならない主な変数は、センサーセル形状（電極の面積および間隔）と、グルコースの反応速度が化学反応の速度で制御されるのではなく実質的に質量の輸送によって制御されるよう試薬内に十分に過剰なグルコースの反応活性が存在すること、である。
【００７２】
以下の例は、本発明の原理および実施の例である。本発明の範囲および精神内のさまざまな別の実施の形態が、当業者には明らかとなるであろう。
【００７３】
［実施例１］
ｐＨ６．５の１００ｍＭシトラコネート（citraconate）、０．１％の消泡剤（ＲＮＡ平衡剤）、および、４ｍＭ  ＣａＣｌ2 を含む緩衝液が調製された。次に、ＰＱＱコファクターを用いるＧＤＨが、緩衝液に加えられて、緩衝液が４６ｍｇ／ｍＬにされた。次に、ＰＱＱが、緩衝液に加えられて、緩衝液がＧＤＨを活性化するようにされた。ＰＱＱが緩衝液に加えられて、１モルのＧＤＨに対して少なくとも２モルのＰＱＱが存在するようにされた。ＰＱＱを加えた後に、配合物が約１時間にわたってインキュベートされた。次に、フェリシアン化カリウムが混合物に加えられて、混合物が８００ｍＭにされた。配合物が、スロットコーティングプロセスによって図１に示されているように第１の電極１６６の表面上に縞状で配置され、スロットコーティングプロセスは、米国特許第６，７４９，８８７号、同第６，６８９，４１１号、および、同第６，６７６，９９５号に記載されていて、これらの米国特許は参照することによって本明細書に組み込まれる。配合物をコーティングして配合物が試薬層７２を形成するように配合物を乾燥させると、スペーサー６０および第２の電極１６４が、試薬層７２の上に形成されて、試験細片６２が形成される。
【００７４】
［実施例２］
いくつかの試験細片６２が、約２０ｍｇ／ｄＬから約６００ｍｇ／ｄＬまでの広範囲の血液中のグルコース濃度に対して、血液を用いて試験された。２３人の異なる血液のドナーがこの試験で用いられた。試験細片６２は、５秒間の試験時間を用いて試験された。測定された電流は、式５を用いてグルコース濃度に変換された。バイアスが、基準方法に対して、各試験細片で計算された。低いグルコース濃度（１００ｍｇ／ｄＬ未満）では、絶対バイアスが計算され、高いグルコース濃度（１００ｍｇ／ｄＬ以上）では、百分率バイアスが計算された。図８は、９３％のデータ点が１０％すなわち１０ｍｇ／ｄＬ以下のバイアスを有することを示している。
【００７５】
第１の電圧が、４．０秒間にわたって、試薬がコーティングされた電極がもう一方の電極に関して−３００ｍＶとなるように、電極間に加えられ、次に、電圧が反転されて、１秒間にわたって、試薬がコーティングされた電極がもう一方の電極に関して＋３００ｍＶとなるようにされた。５０ミリ秒間隔で電流値が測定され記憶された。この分析を行うために、第１の集積的電流値Ｉ1 が、電圧が反転された後の４．８秒と５．０秒との間の記憶された電流値を合計することによって得られた。Ｉ2 は、同様に、電圧が反転された後の４．７秒と５．０秒との間の電流値を合計して得られ、Ｉ3 は、最初の電圧が加えられた後の１．６秒と４．０秒との間の電流値を合計して得られた。ａ、ｐ、および、Ｚ、の値は、経験的に決定され、それぞれ、１．２９、０．６４５、および、３．６４、であった。
【００７６】
図８に示されているように、正確な被検体の濃度を計算するために第１、第２、および、第３の集積的電流値を用いることが、正確な濃度情報を迅速に提供した。
【００７７】
等価な構造が、本明細書に図示され説明された構造の代わりに用いられること、本発明の記載された実施の形態が特許請求の範囲に記載された本発明を実施するのに用いられる唯一の構造ではないこと、が認識されるであろう。本発明を実施するのに用いられる可能性のある等価な構造の一例が、米国特許第６，４１３，４１０号に記載されていて、この米国特許は参照することによって本明細書にその全体が組み込まれる。本発明を実施するのに用いられる可能性がある等価な構造の別の例が、米国特許第６，６１２，１１１号および同第６，２８４，１２５号に記載されていて、これらの米国特許は参照することによって本明細書にその全体が組み込まれる。
【００７８】
本発明の好ましい実施の形態が本明細書で図示され記載されたが、当業者には、それらの実施の形態が例示のみの目的で提供されたことが明らかであろう。さまざまな変形、変更、および、置き換え、が、本発明から逸脱することなく、当業者はいまや想到するであろう。本明細書に記載された本発明の実施の形態のさまざまな代替物が本発明を実施するために用いられることもあることが理解されなければならない。添付の特許請求の範囲が本発明の範囲を定義すること、および、特許請求の範囲内にある方法および構造、およびそれらの等価物が特許請求の範囲によって保護されること、が意図されている。
【００７９】
〔実施の態様〕
この発明の具体的な実施態様は以下の通りである。
（１）生理学的サンプル中の被検体の濃度を求める方法において、
（ａ）生理学的サンプルを電気化学的セル内に導入する過程であって、
前記電気化学的セルが、
（ｉ）離間して配置された関係の第１および第２の電極、および、
（ｉｉ）酵素および媒介物質を含む試薬層、
を具備する、
過程と、
（ｂ）第１の極性を有する第１の電圧を前記電気化学的セルに加え、第１の時間−電流過渡現象を得るために時間の関数としてのセル電流を測定する過程と、
（ｃ）前記第１の極性とは逆の第２の極性を有する第２の電圧を前記電気化学的セルに加え、第２の時間−電流過渡現象を得るために時間の関数としてのセル電流を測定する過程と、
（ｄ）前記第２の時間−電流過渡現象から第１の電流値を計算する過程と、
（ｅ）前記第２の時間−電流過渡現象から第２の電流値を、前記第１の時間−電流過渡現象から第３の電流値を、計算する過程と、
（ｆ）前記第３の電流値で除算された前記第２の電流値を含む比率を計算する過程と、
（ｇ）バックグラウンド値を含まない前記第１の電流値を前記比率で乗算し、被検体の濃度を導く過程と、
を具備する、方法。
（２）実施態様（１）に記載の方法において、
前記過程（ｂ）から前記過程（ｇ）までが、１０秒未満で行われる、方法。
（３）実施態様（１）に記載の方法において、
前記過程（ｂ）から前記過程（ｇ）までが、６秒未満で行われる、方法。
（４）実施態様（１）に記載の方法において、
前記比率が、冪指数ｐ個累乗される、方法。
（５）実施態様（１）に記載の方法において、
前記被検体の濃度が、以下の式に基づいて計算され、
［Ｃ］＝（Ｉ2 ／Ｉ3 ）p ×（ａ×Ｉ1 −Ｚ）
ここで、
［Ｃ］は、前記被検体の濃度であり、
Ｉ1 は、前記第１の電流値であり、
Ｉ2 は、前記第２の電流値であり、
Ｉ3 は、前記第３の電流値であり、
Ｚ、ｐ、および、ａは、較正係数である、
方法。
（６）実施態様（５）に記載の方法において、
ｐが、０．２から４までの範囲内にあり、
ａが、０．２から４までの範囲内にある、
方法。
（７）実施態様（６）に記載の方法において、
ｐが１に等しく、
ａが１に等しい、
方法。
（８）実施態様（５）に記載の方法において、
ｐおよびａを経験的に求める過程、
をさらに具備する、方法。
（９）実施態様（１）に記載の方法において、
前記第１の電流値が被検体の濃度に比例する、方法。
（１０）実施態様（１）に記載の方法において、
前記第１、第２、および、第３の電流値が、時間の関数としてのセル電流の積分を含む、方法。
【００８０】
（１１）実施態様（１）に記載の方法において、
前記第１、第２、および、第３の電流値が、セル電流の合計を含む、方法。
（１２）実施態様（１）に記載の方法において、
前記被検体がグルコースを含む、方法。
（１３）実施態様（１）に記載の方法において、
前記生理学的サンプルが、全血、血漿、血清、間質液、および、尿、からなる群から選択された物質である、方法。
（１４）実施態様（１）に記載の方法において、
前記第１および第２の電極が、金、パラジウム、プラチナ、銀、イリジウム、ドープされた酸化スズ、および、炭素、からなる群から選択された導電性材料を含む、方法。
（１５）実施態様（１４）に記載の方法において、
前記第１の電極が、パラジウムであり、
前記第２の電極が、金である、
方法。
（１６）実施態様（１４）に記載の方法において、
前記導電性材料が、絶縁シートの表面にスパッタリングされている、方法。
（１７）実施態様（１）に記載の方法において、
前記導電性材料が、絶縁シートの表面にスクリーン印刷されている、方法。
（１８）実施態様（１）に記載の方法において、
前記試薬層が、第１の電極上に配置されている、方法。
（１９）実施態様（１８）に記載の方法において、
前記第１の極性が前記第２の電極に関して負であり、
前記第２の極性が前記第２の電極に関して正である、
方法。
（２０）実施態様（１８）に記載の方法において、
前記第１の電圧が、前記第２の電極に対して、０．０Ｖからマイナス０．６Ｖまでの範囲内にあり、
前記第２の電圧が、前記第２の電極に対して、０．０Ｖから０．６Ｖまでの範囲内にある、
方法。
【００８１】
（２１）実施態様（１）に記載の方法において、
前記第２の電圧が、前記第１の電圧が加えられた直後に加えられる、方法。
（２２）実施態様（１）に記載の方法において、
前記電気化学的セルが、１μＬ未満の体積を有する、方法。
（２３）実施態様（１）に記載の方法において、
前記酵素が、グルコースオキシダーゼ、メトキサチン（methoxatin）コファクターに基づくグルコースデヒドロゲナーゼ、および、ニコチンアミドアデニンジヌクレオチドコファクターに基づくグルコースデヒドロゲナーゼ、からなる群から選択された物質である、方法。
（２４）実施態様（１）に記載の方法において、
前記媒介物質が、フェリシアニド、フェロセン、フェロセン誘導体、オスミウム・ビピリジル複合体、および、キノン誘導体、からなる群から選択された物質である、方法。
（２５）実施態様（１）に記載の方法において、
前記第１の電圧が、１秒から５秒までの範囲内の期間にわたって加えられる、方法。
（２６）実施態様（１）に記載の方法において、
前記第２の電圧が、１秒から５秒までの範囲内の期間にわたって加えられる、方法。
（２７）実施態様（１）に記載の方法において、
前記第２および第３の電流値が、異なる時間間隔の間に計算される、方法。
（２８）生理学的サンプル中の被検体の濃度を求める方法において、
（ａ）生理学的サンプルを電気化学的セル内に導入する過程であって、
前記電気化学的セルが、
（ｉ）離間して配置された関係の第１および第２の電極、および、
（ｉｉ）酵素および媒介物質を含む試薬層、
を具備する、
過程と、
（ｂ）第１の極性を有する第１の電圧を前記電気化学的セルに加え、第１の時間−電流過渡現象を得るために時間の関数としてのセル電流を測定する過程と、
（ｃ）前記第１の極性とは逆の第２の極性を有する第２の電圧を前記電気化学的セルに加え、第２の時間−電流過渡現象を得るために時間の関数としてのセル電流を測定する過程と、
（ｄ）前記第１の時間−電流過渡現象から第１の集積的電流値を、前記第２の時間−電流過渡現象から第２の集積的電流値を、計算する過程と、
（ｅ）前記第１の集積的電流値で除算された前記第２の集積的電流値を含む比率を計算する過程と、
（ｆ）前記比率を含む補正係数を計算する過程と、
（ｇ）前記第１および／または第２の時間−電流過渡現象から最初の濃度の値を計算する過程と、
（ｈ）バックグラウンド値を含まない前記最初の濃度の値に前記補正係数を乗算し、前記被検体の濃度を導く過程と、
を具備する、方法。
（２９）実施態様（２８）に記載の方法において、
前記第１および第２の集積的電流値が、時間の関数としてのセル電流の積分を含む、方法。
（３０）実施態様（２８）に記載の方法において、
前記第１および第２の集積的電流値が、時間の関数としてのセル電流の合計を含む、方法。
【００８２】
（３１）実施態様（２８）に記載の方法において、
前記被検体が、グルコースである、方法。
（３２）実施態様（２８）に記載の方法において、
前記生理学的サンプルが、全血、血漿、血清、間質液、および、尿、からなる群から選択された物質である、方法。
（３３）生理学的サンプル中の被検体の濃度を求める方法において、
（ａ）前記生理学的サンプルを電気化学的セル内に導入する過程であって、
前記電気化学的セルが、
（ｉ）離間して配置された関係の第１および第２の電極、および、
（ｉｉ）酵素および媒介物質を含む試薬層、
を具備する、
過程と、
（ｂ）第１の極性を有する第１の電圧を前記電気化学的セルに加え、第１の時間−電荷過渡現象を得るために、時間の関数としてセル電荷を測定する過程と、
（ｃ）前記第１の極性とは逆の第２の極性を有する第２の電圧を前記電気化学的セルに加え、第２の時間−電荷過渡現象を得るために、時間の関数としてセル電荷を測定する過程と、
（ｄ）前記第２の時間−電荷過渡現象から第１の電荷値を計算する過程と、
（ｅ）前記第２の時間−電荷過渡現象から第２の電荷値を、前記第１の過渡現象から第３の電荷値を、計算する過程と、
（ｆ）前記第２の電荷値および前記第３の電荷値に基づいて、比率を計算する過程と、
（ｇ）バックグラウンド値を含まない前記第１の電荷値を前記比率で乗算し、被検体の濃度を導く過程と、
を具備する、方法。
【図面の簡単な説明】
【００８３】
【図１】本発明で用いるのに適した試験細片の分解斜視図である。
【図２】試験細片の底面図である。
【図３】試験細片の上面図である。
【図４】試験細片の遠位の部分の部分断面側面図である。
【図５】試験細片と電気的に接触するメーターの単純化された概略図である。
【図６】第１の電圧およびその直後の第２の電圧を含む時間−電圧波形の一例を示す図である。
【図７】生理学的サンプルが添加された試験細片を検査するメーターによって発生した時間−電流過渡現象を示す図である。
【図８】グルコース濃度と基準の方法に対するバイアスとの間の関係を示すバイアスグラフである。
【符号の説明】
【００８４】
６０  スペーサー
６１  サンプル反応チャンバ
６２  試験細片
６３  第２の電気的接触部
６４  第２の電極層
６５  Ｕ形のノッチ
６６  第１の電極層
６７  第１の電気的接触部
６７ａ，６７ｂ  先端部
６８  切り欠き領域
７０  ポート
７２  試薬層
７３  第１の時間−電流過渡現象
７４  第２の時間−電流過渡現象
７６  第１の接続トラック
７８  第２の接触トラック
８０  遠位の部分
８２  近位の部分
１００  メーター
１６４  第２の電極
１６６  第１の電極
【図１】
2007108171.tif 000010
【図２】
2007108171.tif 000011
【図３】
2007108171.tif 000012
【図４】
2007108171.tif 000013
【図５】
2007108171.tif 000014
【図６】
2007108171.tif 000015
【図７】
2007108171.tif 000016
【図８】
2007108171.tif 000017
【外国語明細書】
2007108171000001.pdf